(57)【特許請求の範囲】
【請求項１】
（Ａ）携帯型デバイスの電源が投入されている時、所定の予備時間量の間、携帯型デバイスを駆動するのに十分な第２の所定の電力レベルよりも高い第１の所定の電力レベルにまでバッテリが消耗されたときに開始される、短期の電力完全消耗警告信号をユーザに送るステップと、
（Ｂ）  携帯型デバイスは携帯型デバイスを駆動させるための残存バッテリ電力を有しないかのような第２の所定の電力レベルにまでバッテリが消耗されたとき、バッテリが第１の所定の電力レベルとバッテリが第２の所定の電力レベルに達する前の間にユーザから所定の指示が受信されない場合、携帯型デバイスの電源を遮断し、前記携帯型デバイスその後の駆動を禁止し、ユーザから所定の指示が受信された場合、前記携帯型デバイスその後の駆動を継続するステップと
からなることを特徴とするバッテリで駆動される携帯型デバイスの使用方法。
【請求項２】
前記携帯型デバイスの電源が投入されている時に動作する、所定の予備時間量の間、携帯型デバイスを駆動するのに十分な第２の所定の電力レベルよりも高い第１の所定の電力レベルにまでバッテリが消耗されたときに始まる、短期の電力完全消耗警告信号をユーザに送信する手段と、
携帯型デバイスは携帯型デバイスを駆動させるための残存バッテリ電力を有しないかのような第２の所定の電力レベルにまでバッテリが消耗されたとき、バッテリが第１の所定の電力レベルとバッテリが第２の所定の電力レベルに達する前の間にユーザから所定の指示が受信されない場合、携帯型デバイスの電源を遮断し、前記携帯型デバイスその後の駆動を禁止し、ユーザから所定の指示が受信された場合、前記携帯型デバイスその後の駆動を継続する手段と
からなることを特徴とするバッテリで駆動される携帯型デバイス。
【発明の詳細な説明】
【０００１】
【発明の属する技術分野】
本発明は携帯型デバイスへのバッテリ電力の供給に関する。更に詳細には、本発明は携帯型通信デバイスへのバッテリ電力の供給に関する。
【０００２】
【従来の技術】
バッテリから電力供給を受ける携帯型通信デバイス分野における周知の問題は、使用可能なバッテリ寿命を如何に延ばすかである。これができれば、バッテリの再充電の間の長期間にわたって通信するユーザの要求を満たすために電力を供給することができる。
【０００３】
一つの解決方法は、バッテリ容量を拡大するために一層良好なバッテリを設計することである。別の解決方法は、携帯型通信デバイスの電力消費量を低下させることである。これにより、使用可能なバッテリ電力は一層緩慢な速度で消費され、その結果、バッテリは効率的に一層長く持続する。
【０００４】
しかし、バッテリ寿命がどれ程延長されたとしても、大抵のユーザは、バッテリが殆ど完全に放電されるまで、バッテリを充電しない。特に、人間の“近視眼的”性質は往々にして、現在進行中の状況を（また、問題さえも）、それらが実際の問題になるまで人々に無視させる。そして、それは手遅れとなる。
【０００５】
更に、特定のタイプのバッテリのヒステリシス効果のために、バッテリ容量を減少させるといけなので、バッテリを再充電する前に、バッテリ内の全電力を確実に消耗し尽くすように、ユーザ自身が習慣付ける必要があった。従って、ユーザが使用可能な携帯型通信デバイスを所持し、重要な電話コールを発呼、受信又は継続しなければならないのに、使用可能なバッテリ電力が無いためにこれらができないという状況にしばしば遭遇する。
【０００６】
ユーザをこの苦境から救うために、代表的な携帯型デバイス（例えば、携帯電話）はユーザに、短期の電力完全消耗警告トーンを発する。この警告は、ユーザが通話中に開始され、約２分間だけ動作を継続するためのバッテリ電力が残る。その後、警告トーンは、携帯型通信デバイスを動作するためのバッテリ電力が無くなるまで続く。
【０００７】
警告トーンを聞いたら、ユーザは一般的に、使用可能なバッテリ電力が無いために携帯電話が不意に電源切れになる前に、通話を整然と、たとえ若干慌ただしい形であっても、終える。それにも拘わらず、通話を終えるために、ユーザは一般的に、残り２分間のためのバッテリ電力の殆どを消耗し尽くす。その結果、その後の最優先の電話コールのために使用可能なバッテリ電力は殆どあるいは全く残らない。
【０００８】
このような最優先の電話コールは例えば、自動車の故障のために路上で立ち往生した場合に救援を要請するための電話をかけなければならないとか、または、上司からの重要な電話を受けなければならないといったようなものである。
【０００９】
この状況を改善するための直接的方法の一例は、警告トーンを若干早期に発することである。例えば、バッテリ寿命が未だ１０分間残っている時点で警告トーンを発する。長い警告トーン期間と、その若干騒々しい特性のために、警告トーンが早期の時点（例えば、１０分前）で始まる場合のユーザの心理状態は、前記のような警告トーンが遅い時点（例えば、２分前）で始まる場合と若干異なる。
【００１０】
現在の通話を急いで終える代わりに、長期警告トーンが始まると、ユーザは、▲１▼警告トーンが長く続くために、警告トーンを無視するか、又は▲２▼警告トーンが非常に高い優先レベルのものであることを信じない傾向がある。なぜなら、ユーザは現に通話中であり、望ましからざる結果（すなわち、バッテリ消耗による通話の不意の遮断）が起こるまでの残り時間は比較的長いことを知っているからである。
【００１１】
その結果、ユーザは、残りのバッテリ電力を殆ど又は全部使用して現在の通話を続ける。従って、その後の最優先の電話コールのために使用可能なバッテリ電力が殆ど又は全く残らないという問題が依然として存在する。
【００１２】
【発明が解決しようとする課題】
従って、本発明の目的は、その後の最優先電話コールのためにバッテリ電力を少し残しておくバッテリ技術を提供することである。
【００１３】
【課題を解決するための手段】
携帯型デバイスが、その使用可能なバッテリ電力の終期に近づいた時に、ユーザを、その後の最優先電話コールのためにバッテリ電力を若干保存するように挙動させることにより前記課題は解決される。
【００１４】
これは、本発明によれば、更なる期間にわたって携帯型通信デバイスを駆動させるのに十分な電力がバッテリ内に実際に残っていたとしても、ユーザに、バッテリが間もなく又は直ちに消耗され尽くすと錯覚させることにより行われる。好都合なことに、補助バッテリ電力は自動的に予備に取り置かれる。その結果、この補助バッテリ電力は、その後の最優先電話コールのために使用できる。
【００１５】
この目的のために、特定の付加的時間量（例えば、８分間）だけのための電力をバッテリが保有していると予測される計画時間の前に、所定の時点（例えば、２分前の時点）で、ユーザに電力完全消耗警告信号を短期間送信する。この警告は、計画時間までだけなら携帯型通信デバイスを動作させるのに十分な電力がバッテリ内に残っていることを知らせる。
【００１６】
しかし、実際には、計画時間を越えた付加的な時間（例えば、付加的な８分間）について携帯型通信デバイスを動作させるのに十分な電力がバッテリ内に残存している。バッテリ電力の早期消耗の錯覚を強めるために、本発明では、ユーザが常法通りに通話を継続する場合に、まるでバッテリ電力の残りが全く無いかのように、携帯型通信デバイスの電源を計画時間の時点で遮断する。
【００１７】
更に、所望により、本発明では、残りのバッテリ電力を表示するバッテリ電力インジケータにより、ユーザに人為的な低電力示度を与える。この低電力示度は、バッテリ電力が計画時間の時点（すなわち、電力完全消耗警告が発せられる計画期間の決定時点）でバッテリ電力が完全に消耗されることを示す。従って、ユーザには、早期の所定の短期電力完全消耗警告が、前記の従来技術で発せられていたのと同様な真性な電力完全消耗警告であるように思える。
【００１８】
しかし、本発明によれば、電力完全消耗警告の開始後及びバッテリの再充電の開始前又はバッテリの交換前の任意の時点で、ユーザは、バッテリ内に残っている予備電力を使用可能にするために、携帯型通信デバイス上のボタン（例えば、“予備電力”と表示されたボタン）を押すような、肯定的な動作を行うこともできる。これは好都合な機能である。
【００１９】
なぜなら、ユーザがボタンを押すような肯定的動作を行わざるを得ない場合、ユーザは心理的に、最後の使用可能なバッテリ電力を使い切りたくないからである。ユーザが肯定的動作を行うと、本発明によれば、人為的な低示度を表示しているバッテリ電力インジケータは、実際の示度を示すように復元される。
【００２０】
更に、本発明によれば、所定時間の間、携帯型通信デバイスを駆動するのに十分なバッテリ電力だけを残すことが決定されると、ユーザに、電力完全消耗警告が再び与えられる。
【００２１】
【発明の実施の形態】
図１は本発明を具体化する携帯型デバイスの一例の概要図である。本発明によれば、▲１▼携帯型デバイスのユーザは、計画時間前の短期間の間、計画時間までなら携帯型デバイスを動作させるのに十分な電力が携帯型デバイスのバッテリ内に残っていることを示す短期電力完全消耗警告信号を受ける。
【００２２】
しかし、実際には、計画時間を越えた若干の付加時間の間も携帯型通信デバイスを動作させるのに十分な電力がバッテリ内に残存している。また、▲２▼ユーザが残りのバッテリ電力を切望するような肯定的動作を行わなければ、携帯型デバイスは計画時間の時点で電源が遮断される。
【００２３】
さもなければ、残りのバッテリ電力は前記のような肯定的動作が行われるまで、取り置かれる。更に詳細には、図１において、携帯型通信デバイスはハンドヘルド移動式電話１０１である。これはキーパッド１０５とディスプレイ１０３を有する。
【００２４】
移動式電話１０１は、例えば、セルラ電話、パーソナル通信システム（ＰＣＳ）電話、配線ラインと一体化された基地局に結合される常用の携帯電話または全ての同様なデバイスなどである。一般的に、移動式電話１０１は２つのモードのうちの一方のモードで動作される。
【００２５】
会話モードでは、移動式電話１０１は接続を確立し、会話を行うために使用される。待受モードでは、電源は入っているが、電話コールを受信するか又は開始するために待機しているだけである。待受モードよりも会話モードのほうが、移動式電話１０１を駆動するのに多くの電力を必要とする。従って、会話モードは待受モードよりもバッテリ電力を急速に消費する。
【００２６】
キーパッド１０５は、スクロールキー１０７及び１０９、リザーブキー（予備電力呼出キー）１１１、ディスプレイキー１１３及びＰＷＲキー（電源キー）１１５のような特別な機能キーを有する。言うまでもなく、キーパッド１０５は、音量コントロール、送信、終了などのような機能のためのその他の種々雑多なキーも有する。しかし、説明の便宜上、このような種々雑多なキーは図１に図示されていない。
【００２７】
ディスプレイ１０３は、現在のバッテリ放電状態を示すために使用される。例えば、ディスプレイ１０３は、残りの待受時間量（すなわち、移動式電話１０１を待受モードで動作させることができる時間量）と、移動式電話１０１を会話モードで動作させることができる時間量を示すことができる。
【００２８】
しかし、その他のタイプのディスプレイ、例えば、残りの時間数又は残り時間を示すことができる別のコードを表示する数字又は英数字ディスプレイも使用できる。別法として、ディスプレイの代わりに、同じ情報の音声アナウンスをユーザに供給することもできる。
【００２９】
ディスプレイ１０３は常時駆動させておく必要はない。なぜなら、常時駆動させておくと、バッテリの消耗を早めるからである。従って、ディスプレイ１０３は、前記のような情報がユーザにより必要とされていると思われる場合だけ、情報をディスプレイ上に能動的に表示するように制御することもできる。
【００３０】
更に、ディスプレイキー１１３は、ディスプレイの駆動を手動制御するために使用することもできる。例えば、ユーザがバッテリ電力情報を望む場合、ディスプレイキー１１３を押すことによりディスプレイを駆動させ、次いで、スクロールキー１０７及び１０９を用いて、バッテリ関連表示にまでスクロールする。
【００３１】
図２は図１の移動式電話１０１のための回路の一例のブロック図である。この回路は、a)マイクロプロセッサ２０１、b)エネルギー管理ユニット２０５、c)バッテリモジュール２０９、d)読出専用メモリ（ＲＯＭ）２１１、e)電話用電子回路類及びf)警告器２１５を包含する。ディスプレイ１０３，電話用電子回路類２１３及び警告器２１５はマイクロプロセッサ２０１に接続され、マイクロプロセッサ２０１により制御される。キーパッド１０５もマイクロプロセッサ２０１に接続されている。
【００３２】
マイクロプロセッサ２０１はマイクロプロセッサ、マイクロコントローラ又はその他の全ての制御タイプのデバイスなどである。マイクロプロセッサ２０１はＲＯＭ又はＲＡＭのようなメモリを包含することができる。この実施例では、マイクロプロセッサ２０１はＲＡＭ（図示されていない）を包含するが、ＲＯＭは包含しない。当業者は、特定の用途の要件を満たすためにＲＡＭ、ＲＯＭ及び制御機能性の整合的組合せを選択できる。
【００３３】
電話用電子回路類は、電話接続を確立し、音声系会話を行うのに必要な全ての回路を包含する。警告器２１５は、電話コールの着信又は本発明の短期電力完全消耗警告のような警告情報を供給する。
【００３４】
エネルギー管理ユニット２０５は、▲１▼再充電及び▲２▼バッテリモジュール２０９内のバッテリ単電池２０７の状態監視などのような様々なバッテリ機能を果たすことができる。このようなエネルギー管理ユニットは公知である。この明細書で使用されている“バッテリ”という用語は、移動式電話１０１のような携帯型デバイスの動作電源を形成するために併用される全てのバッテリ単電池群を含む。
【００３５】
マイクロプロセッサ２０１はバス２０３によりエネルギー管理ユニット２０５に接続されており、この接続により、マイクロプロセッサ２０１はエネルギー管理ユニット２０５から、バッテリモジュール２０９内の残存充電量を得ることができる。
【００３６】
エネルギー管理ユニット２０５から得られた情報はマイクロプロセッサ２０１内に記憶される。エネルギー管理ユニット２０５から得られたバッテリモジュール２０９の状態はその後、待受モード又は会話モードでそれぞれ動作する場合の電力消費の記憶推定値を使用して、バッテリ電力消費曲線に沿ったその他の時点と同様に、残存待受時間又は残存会話時間を計算するのに使用される。
【００３７】
この計算は、タンク内の現在の燃料量で運転できるマイル数を決定するための平均燃料効率と共に、燃料計示度を併用する、自動車で行われる“空になるまでのマイル数”計算と同様なものである。
【００３８】
電力消費（又は一定電圧による電流放電）速度が既知である場合、残存バッテリ時間の計算は動的に推定することができる。移動式電話１０１の様々な動作モードに関する電力消費は演繹的に測定し、記憶することができる。従って、マイクロプロセッサ２０１はこの推定を行うことができる。例えば、様々な動作モードに関して必要な電力消費データ（例えば、待受モード及び会話モードに関する平均電力消費データ）をＲＯＭ２１１に記憶させることができる。
【００３９】
別法として、移動式電話１０１のバッテリの実際の電流放電を決定し、次いで、移動式電話１０１内のメモリに記憶させることができる。従って、移動式電話１０１の各動作モードにおける電流放電の“履歴”を創出することができる。その結果、マイクロプロセッサ２０１はこの“履歴”を使用し、待受モード及び会話モードの双方についてバッテリの残存時間量の動的推定値を与えることができる。
【００４０】
図３〜５は、本発明による移動式電話１０１の詳細な動作処理を示す流れ図である。しかし、細部を探求する前に、本発明による移動式電話１０１の挙動の動作概要を図６の流れ図で説明する。特に、図６は、本発明を実施する際に移動式電話１０１により行われる全体的処理の一例を示す。
【００４１】
図６の実施例では、短期電力完全消耗警告は、バッテリモジュール２０９内のバッテリ電力Ｙ（例えば、１０）分間分が残っている場合に開始される。警告開始からＺ（例えば、２）分間以内にユーザがリザーブキー１１１を押さなければ、移動式電話１０１は、この２分間が経過する時点で電源が遮断される。従って、８分間分のバッテリ電力が取り置かれる。
【００４２】
図６の処理は、移動式電話１０１の電源がＯＮされた時に、ステップ６０１で開始され、そして、その後、これは周期的に反復させることができる。次いで、条件付き分岐点６０３で、現在の動作モード（例えば、会話モード）で１０分間超にわたって移動式電話１０１を駆動させるのに十分な電力がバッテリモジュール２０９内に残っているか否か決定するためのテストを行う。
【００４３】
ステップ６０３におけるテスト結果が「ＹＥＳ」である場合、制御はステップ６０５に進む。ここで、移動式電話１０１は常法通りに動作されるが、バッテリ情報が表示される場合、残存時間は８分間だけ短縮される。これは、バッテリ電力８分間分の利用可能性をユーザに示さないために行われる。
【００４４】
ステップ６０３におけるテスト結果が「ＮＯ」である場合、制御はステップ６０７に進む。ここで、２分間警告が発せられる。また、移動式電話１０１の動作及び移動式電話１０１に示されるディスプレイはステップ６０５で記載した通りのものである。特に、バッテリ情報が表示される場合、残存時間は８分間だけ短縮される。これを行うことにより、２分間警告の真実性を心理的に強化する。なぜなら、ユーザはディスプレイ上で、バッテリ電力が切れかかっていることを悟るからである。
【００４５】
その後、制御は条件付き分岐点６０９に進む。ここで、ユーザがリザーブキー１１１を押したか否か決定するためのテストを行う。ステップ６０９におけるテスト結果が「ＮＯ」である場合、制御はステップ６１１へ進む。条件付き分岐点６１１は、現在の動作モードで８分間超の間、移動式電話１０１を駆動させるのに十分な電力がバッテリモジュール２０９内に残っているか否か決定するためのテストを行う。
【００４６】
ステップ６１１におけるテスト結果が「ＹＥＳ」である場合、制御はステップ６０９に戻る。しかし、ステップ６１１におけるテスト結果が「ＮＯ」である場合、これは、バッテリモジュール２０９内に残っている電力だけが予備電力であることを示す。従って、制御はステップ６１３へ進む。ここで、本発明により、移動式電話１０１の電源は遮断される。このようにすることにより、予備電力は、最優先の電話コールについて後で使用するために、保存される。
【００４７】
ステップ６０９におけるテスト結果が「ＹＥＳ」である場合、これは、ユーザが予備電力を使用可能にするために、リザーブキー１１１を押すような肯定的動作を行ったことを示す。制御はステップ６１５へ進む。ステップ６１５において、バッテリモジュール２０９が現在の動作モードで移動式電話１０１をもはや駆動できなくなるまで、移動式電話１０１を動作させることができる。また、バッテリ情報が表示される場合、正しい残存時間（分単位）数が表示される。
【００４８】
次に、図３〜５に示される移動式電話１０１の操作方法の一例について詳細に説明する。特に、図３は、移動式電話１０１の平均使用率パラメータを更新し、待受モード及び会話モード中に生じる電流放電量の推定値を与えるための処理法を示す。
【００４９】
このような平均値は様々な理由により必要である。例えば、各動作モードにおける移動式電話１０１の電力消費量は同じではない。また、移動式電話１０１と同じタイプの同様な移動式電話の電力消費量は同一である必要はない。更に、各動作モードで、移動式電話１０１は様々な機能を果たさなければならない。このような機能は、それぞれ異なる電力量を必要とする。従って、特定の動作モードで動作中に消費される電力は均一ではない。
【００５０】
図３の処理は、マイクロプロセッサ２０１（図２参照）により実行される割込ルーチンである。
【００５１】
処理は、例えば、１００ミリ秒毎に周期的に起こるように構成された特定の割込が発生すると、ステップ３０１で開始される。次いで、ステップ３０３で、マイクロプロセッサ２０１は移動式電話１０１の現在の動作モード（すなわち、会話モード又は待受モード）を決定する。その後、ステップ３０５で、マイクロプロセッサ２０１は、先行割込時間中に消費された電力を決定する。
【００５２】
これは、例えば、エネルギー管理ユニット２０５から、バッテリモジュール２０９内に残っている電力容量を求め、そして、この値を、直前のステップ３０５の反復中にエネルギー管理ユニット２０５から得られた値から減算することにより決定される。
【００５３】
マイクロプロセッサ２０１により決定された電力消費量情報はメモリに記憶される。電力消費量情報は、所定回数（Ｘ）の割込期間の長さの合計に等しい期間にわたってステップ３０７で蓄積される。Ｘは割込間隔及びディスプレイ１０３上に表示される電力使用率の分解能に基づいて決定される。
【００５４】
ステップ３０９において、マイクロプロセッサ２０１は平均電力消費量を決定する。これは合成数（すなわち、待受モード及び会話モードの両方を反映する単一の電流放電数値）であるか、または個別平均電力消費量を移動式電話１０１の会話モード及び待受モードの各々について決定することができる。
【００５５】
何れにしろ、総蓄積電力消費量を求め、この値を、Ｘ回の割込期間の長さの合計に等しい時間長さで除算することにより、平均値が算出される。得られた結果は、単位時間当たりの平均電力消費量（又は電流放電量）である。これは、１分間間隔当たりの平均電力消費量（ミリアンペア／分）に正規化することができる。この結果は、ディスプレイルーチンにより使用するために、メモリ、好ましくは不揮発性ＲＡＭに記憶される。
【００５６】
バッテリ使用率情報により示されるディスプレイ１０３の分解能は例えば、分の単位である。従って、割込間隔が１００ミリ秒の場合、マイクロプロセッサ２０１は、Ｘを６００に設定する。これにより、表示可能なバッテリ使用率情報の１分間の分解能を与えるために、全６００回の割り込み期間について電力消費量情報を蓄積する。
【００５７】
個別の合計が各動作モードについて保持される場合、各動作モードについて生じる割り込み期間の回数は個別に計数される。このように、Ｘ回の割り込み期間を各動作モードについて蓄積しなければならない。
【００５８】
処理が始まると、ＲＡＭ系変数は、ＲＯＭ２１１に予め記憶されていた最悪ケースの数値でロードされる。従って、移動式電話１０１のユーザが移動式電話の使用を開始し、バッテリ情報の表示を求めた場合、ユーザには、残存バッテリ容量に関して最悪のケースのシナリオが提供される。このような最悪のケースの数値は、呼び電力点及び下記で説明するようなその他の時点の決定を始めるためにも使用される。後ほど、前記のルーチンを通して使用率履歴を取得すると、ユーザに表示されている数値及びその他の時点は結果的に更新される。
【００５９】
図４は、本発明による、短期電力完全消耗警告の供給処理を示す流れ図である。図４に示された処理は、例えば、割込みに応答して、マイクロプロセッサ２０１により周期的に実行することができる。ステップ４０３において、マイクロプロセッサ２０１はエネルギー管理ユニット２０５にアクセスし、使用可能なバッテリ容量を得る。
【００６０】
ステップ４０５で、マイクロプロセッサ２０１は待受モード及び会話モードのバッテリ放電量を決定するのに必要なパラメータを検索する。すなわち、マイクロプロセッサ２０１は、メモリに記憶されている、前記に説明したような、平均会話モードバッテリ放電量及び平均待受モードバッテリ放電量パラメータにアクセスする。
【００６１】
次に、ステップ４０７で、残りの待受時間及び会話時間が計算される。すなわち、使用可能なバッテリ電流（例えば、ミリアンペア）を使用率（例えば、ミリアンペア／分）で除算し、移動式電話１０１がもっぱら待受モードで動作されるか、又はもっぱら会話モードで動作されたとした場合の、使用可能な時間（分単位）数を得る。
【００６２】
その後、ステップ４０９で、移動式電話１０１の現在の動作モードがマイクロプロセッサ２０１により検索され、次いで、ステップ４１１で、実際の残存バッテリ寿命と予備電力点を決定する。予備電力点は、バッテリ内の電力が、本発明が教示するような、取り置くことが望ましい電力レベルに達する時点である。実際の残存バッテリ寿命及び予備電力点は会話モードに基づいて計算される。
【００６３】
これは次のことを確保するために行われる。すなわち、短期電力完全消耗警告が発生される場合、待受モードよりも大きな電力を必要とし、一般的に、ユーザに望まれるモードである、会話モードで移動式電話１０１を駆動させることができる保存バッテリ寿命を残すためである。予備電力点の実際の数値は製造者の自由である。５〜１０分間の間、会話モードで移動式電話１０１を動作させるのに十分な電力を取り置くように、予備電力点を設定することが有用である。
【００６４】
条件付き分岐点４１３で、マイクロプロセッサ２０１は、予備電力呼出のフラグが“１”であるか否か決定するためのテストを行う。ステップ４１２におけるテスト結果が「ＮＯ」である場合、これは、ユーザが保存電力を呼び出さなかったことを示し、また、移動式電話１０１は予備電力点を越える電力の使用可能性が無くても動作することを示す。制御はステップ４１５に進む。
【００６５】
変数DIFFは、移動式電話１０１の現在の動作モードについて計算された予備電力点よりも小さい、移動式電話１０１の現在の動作モードにおける実際の残存バッテリ寿命の値と等しい値に設定される。このようにすることにより、予備電力点未満又は予備電力点と等しい電力の使用可能性が除去される。その後、制御はステップ４１９へ進む。
【００６６】
ステップ４１３におけるテスト結果が「ＹＥＳ」である場合、これは、ユーザが予備電力を呼び出したことを示し、また、移動式電話１０１は予備電力点に達していない場合であっても、この予備電力点を越えて動作させ続けられることを示す。制御はステップ４１７へ進む。ここで、変数DIFFの値は、移動式電話１０１の現在の動作モードにおける実際の残存バッテリ寿命の値と等しい値に設定される。その後、制御はステップ４１９に進む。
【００６７】
条件付き分岐点４１９で、DIFFの値が警告点の閾値未満又はこれと同一であるか否かを決定するためのテストを行う。警告点の閾値は、短期電力完全消耗警告の発生を開始する時点の電力値である。警告点の閾値は、条件付き分岐点４１９の各実行の際に、移動式電話１０１の現在の動作モードの関数として決定することが好ましい。
【００６８】
なぜなら、こうすることにより、警告点を移動式電話１０１の現在の動作モードについて適正な値に設定することができ、その結果、短期電力完全消耗警告を、移動式電話１０１が待受モード又は会話モードであるか否かに拘わらず、同じ期間にわたって与えられるからである。
【００６９】
しかし、ユーザが短期電力完全消耗警告の開始後に、待受モードから会話モードに切り替えた場合、短期電力完全消耗警告が与えられている期間の長さはかなり短くされるであろう。当業者は、特定のタイプの携帯型デバイス及び用途について好適であるような、警告点閾値の値を決定することができる。
【００７０】
ステップ４１９におけるテスト結果が「ＹＥＳ」である場合、これは、見掛けの残存電力が、短期電力完全消耗警告の供給をトリガするための電力量未満であることを示し、従って、警告を発しなければならないことを示す。制御はステップ４３１に進み、ここで、短期電力完全消耗警告が発生される。
【００７１】
次いで、条件付き分岐点４３３で、ノーマルのフラグが“１”であるか否か決定するためのテストを行う。ノーマルのフラグが“１”に設定される場合、これは、移動式電話１０１が予備電力点よりも大きな電力又はこれと同等な電力で動作していることを示す。
ステップ４１９におけるテスト結果が「ＮＯ」である場合、これは、見掛けの残存電力が、短期電力完全消耗警告の供給をトリガするための電力量以上であることを示し、従って、警告を発しなくてもよいことを示す。制御はステップ４２１に進む。
【００７２】
ステップ４３３におけるテスト結果が「ＹＥＳ」である場合、ステップ４１９からここに来る前、移動式電話１０１は予備電力点よりも大きな電力又はこれと同等な電力で動作していたことを示す。制御はステップ４３５へ進む。ここで、ノーマルの値を“０”に設定する。このようにすることは、移動式電話１０１が現在は、予備電力点未満の電力で動作していることを示す。制御はステップ４２１へ進む。
【００７３】
ステップ４３３におけるテスト結果が「ＮＯ」である場合、これは、ステップ４１９からここに来る前、移動式電話１０１は予備電力点未満の電力で動作していたことを示す。制御は直接ステップ４２１へ進む。
【００７４】
ステップ４２１において、残存電力の値が、現在の動作にモードに変更されたDIFFの値と等しい値に設定される。これは、残存バッテリ寿命がディスプレイ１０３に表示される時に表示される残存電力の値である。例えば、移動式電話が駆動されているときには何時でも、又は、ユーザがディスプレイキー１１３（図１参照）を押し、そして、スクロールキー１０７及び１０９を使用してバッテリ関連ディスプレイにまでスクロールするときには何時でも、残存電力の値が表示される。次いで、DIFFの値をステップ４２３（図４参照）で記憶する。
【００７５】
その後、条件付き分岐点４２５で、DIFFの値がゼロであるか否かを決定するためのテストを行う。ステップ４２５におけるテスト結果が「ＹＥＳ」である場合、これは、▲１▼予備電力が未だ呼出されていない場合、実際のバッテリ寿命は予備電力点に達しており、従って、移動式電話１０１の電源を遮断しなければならないか、又は、▲２▼実際のバッテリ寿命はゼロに達しており、この場合にも、移動式電話１０１の電源を遮断しなければならない、の何れかを示す。従って、制御はステップ４２７へ進む。ここで、移動式電話１０１の電源が遮断される。その後、ステップ４２９で本発明による処理は終了する。
【００７６】
ステップ４２５のテスト結果が「ＮＯ」である場合、これは、移動式電話１０１を動作させ続けられることを示す。この場合、制御は直接ステップ４２９へ進み、移動式電話１０１の電源を遮断することなく、本発明による処理を終了する。
【００７７】
図５は、移動式電話１０１のＰＷＲボタンが押されたときに行われる、移動式電話１０１の適正な動作を決定する処理方法を示す流れ図である。この処理は、ＰＷＲボタンの押し下げに応答して移動式電話１０１の電源を遮断又は投入するのに使用されるばかりか、移動式電話１０１のその後の使用に必要なフラグを設定するためにも使用される。また、ＰＷＲボタン及びリザーブボタンが同時に押された場合、予備電力が使用可能にされ、その結果、移動式電話１０１は予備電力点を越えて駆動させることができる。
【００７８】
この処理は、ＰＷＲボタンが押された時に、ステップ５０１で開始される。次いで、条件付き分岐点５０５で、ノーマルのフラグが“０”であるか否か決定するためのテストを行う。ノーマルのフラグが“１”に設定されている場合、これは、移動式電話１０１が予備電力点以上の電力で動作していることを示す。ステップ５０５におけるテスト結果が「ＮＯ」である場合、これは、移動式電話１０１が予備電力点以上の電力で動作していることを示す。制御は条件付き分岐点５０７へ進む。
【００７９】
条件付き分岐点５０７で、移動式電話１０１は現在電源が遮断されているか否か決定するためのテストを行う。ステップ５０７におけるテスト結果が「ＹＥＳ」である場合、これは、移動式電話１０１は現在電源が遮断されていることを示す。制御はステップ５０９へ進む。ステップ５０９では、移動式電話１０１の電源を投入する。次いで、制御はステップ５１１へ進む。このステップ５１１で、移動式電話１０１の現在の動作モードを設定し、記憶する。その後、制御は移動式電話１０１のその他の動作コードへ進む。
【００８０】
ステップ５０７におけるテスト結果が「ＮＯ」である場合、これは、移動式電話１０１が現在電源投入されており、動作中であることを示す。制御はステップ５２１へ進む。ステップ５２１で、移動式電話１０１の電源は遮断される。その後、本発明による処理はステップ５２３で終了する。
【００８１】
ステップ５０５におけるテスト結果が「ＹＥＳ」である場合、これは、移動式電話１０１が予備電力点未満の電力で動作していることを示す。制御は条件付き分岐点５１５へ進む。ステップ５１５で、ＰＷＲボタン及びリザーブボタンが同時に押されたか否か決定するためのテストを行う。
【００８２】
ステップ５１５におけるテスト結果が「ＹＥＳ」である場合、これは、ユーザがＰＷＲボタン及びリザーブボタンの両方を同時に押したことを示す。これは、予備電力を呼出し、これを使用可能にするために必要な動作である。制御はステップ５１７へ進む。ステップ５１７で、予備電力呼出の値を“１”に設定する。
【００８３】
その後、又は、ステップ５１５におけるテスト結果が「ＮＯ」である場合、予備電力が呼出されなかったことを示し、制御はステップ５１９へ進む。
【００８４】
条件付き分岐点５１９は、DIFFの値がゼロであるか否か決定するためのテストを行う。ステップ５１９におけるテスト結果が「ＹＥＳ」である場合、これは、▲１▼バッテリは予備電力点に達したが、予備電力は未だ呼出されていないか、又は、▲２▼実際に残存バッテリ電力が存在しないことを示す。制御はステップ５２１へ進み、移動式電話１０１の電源は遮断される。ステップ５２３で本発明による処理は終了する。
【００８５】
ステップ５１９におけるテスト結果が「ＮＯ」である場合、これは、移動式電話１０１を駆動させるのに現に使用することができる電力がバッテリ内に残っていることを示す。制御はステップ５０７へ進み、本発明の処理は前記のように継続される。
【００８６】
バッテリ容量及び電力使用率並びにこれらから導出される時間などを決定するその他の常用方法も使用できる。
【００８７】
本発明の処理方法は複数の動作モード（例えば、稼働及び休止）を有するその他のバッテリ駆動デバイス（例えば、ラップトップコンピュータ）にも応用できる。このような場合、ユーザは残りの動作時間量を知りたがる。同様に、本発明の処理方法は単一の動作モードしか持たない電子装置にも使用できる。
【００８８】
この明細書で使用されている“エネルギー”、“電力”、“電流”及び“容量”は全てデバイスを駆動するためのバッテリの能力を示す。ユーザが望む動作モードで携帯型デバイスをもはや駆動させることができない場合、バッテリは涸渇したものと見做される。従って、例えば、バッテリが移動式電話を待受モードでなら駆動させることができるとしても、会話モードで移動式電話をもはや駆動させることができなければ、バッテリは涸渇したものと見做される。
【００８９】
【発明の効果】
以上説明したように、本発明によれば、携帯型デバイスが、その使用可能なバッテリ電力が涸渇しかけた時に、付加的期間中も携帯型通信デバイスを駆動させるのに十分な電力がバッテリ内に実際に残っていたとしても、ユーザにバッテリが直ぐに消耗され尽くすと錯覚させることにより、その後の最優先電話コールのためにバッテリ電力を若干保存することができる。
【００９０】
特許請求の範囲の発明の要件の後に括弧で記載した番号がある場合は、本発明の一実施例の対応関係を示すものであって、本発明の範囲を限定するものと解釈すべきではない。
【図面の簡単な説明】
【図１】図１は、本発明による移動式電話の一例の概要図である。
【図２】図２は、図１の移動式電話を構成する回路の一例のブロック図である。
【図３】図３は、図１の移動式電話の平均使用率パラメータの更新処理の流れ図である。
【図４】図４は、本発明により電力完全消耗警告を短期間発生する処理の流れ図である。
【図５】図５は、図１の移動式電話のＰＷＲキーが押された時に行われる、図１の移動式電話の適当な動作の決定処理を示す流れ図である。
【図６】図６は、図１の移動式電話により行われる全体的処理の特定的実施例を高レベルで示す流れ図である。
【符号の説明】
１０１  移動式電話
１０３  ディスプレイ
１０５  キーパッド
１０７，１０９  スクロールキー
１１１  リバースキー
１１３  ディスプレイキー
１１５  ＰＷＲキー
２０３  パス
２０７  バッテリ単電池
２０９  バッテリモジュール
【図１】
0003660614.tif 000002
【図２】
0003660614.tif 000003
【図３】
0003660614.tif 000004
【図４】
0003660614.tif 000005
【図５】
0003660614.tif 000006
【図６】
0003660614.tif 000007